(57)【特許請求の範囲】
【請求項１】
真空脱ガス装置の煙道ダクト内付着物の除去方法であって、ダストセパレータのマンホール周辺にデッキを設け、フォークにダスト除去用専用冶具を取り付けたフォークリフトを前記デッキ上で走行させ、前記マンホールから前記ダスト除去用専用冶具を、前記ダストセパレータと真空脱ガス装置の真空槽を連結する煙道ダクト内に挿入し、前記煙道ダクトに付着したダストや地金などを除去することを特徴とする真空脱ガス装置の煙道ダクト内付着物の除去方法。
【請求項２】
真空脱ガス装置の煙道ダクト内付着物の除去装置であって、ダストセパレータのマンホール周辺に設けたデッキと、前記デッキ上に載置したフォークリフトを備え、前記フォークリフトはフォークにダスト除去用専用冶具を有し、前記デッキは前記フォークリフトを操作した際、前記フォークリフトのフォークに取り付けたダスト除去用専用冶具を、前記マンホールから、前記ダストセパレータと真空脱ガス装置の真空槽を連結する煙道ダクト内に挿入し、前記煙道ダクトに付着したダストや地金などが除去可能な広さと高さを有していることを特徴とする真空脱ガス装置の煙道ダクト内付着物の除去装置。
【発明の詳細な説明】
【技術分野】
【０００１】
本発明は、真空脱ガス装置の真空槽とダストセパレータを連結する煙道ダクト内に付着する地金・滓を機械的に除去する方法および装置に関する。
【背景技術】
【０００２】
ＲＨ型真空脱ガス装置は、真空槽に取り付けられた２本の浸漬管を取鍋内の溶鋼に浸漬し、真空状態とした真空槽内に溶鋼を吸い上げ、脱ガス処理を行う。
【０００３】
真空槽からの排ガス中にはダストや地金が含まれ、真空槽と排気装置を連結する排気ダクトや、排気装置内に付着、堆積し、排気効率を低下させるため、これらを除去する方法が種々、提案されている。
【０００４】
特許文献１には、真空脱ガス設備の上部槽の耐火物に付着した地金・滓を除去したり、耐火物を打ち崩すことが可能な解体装置が記載されている。
【０００５】
特許文献２には、排気管内壁への地金の付着を低減するとともに、槽本体の内壁からの輻射熱等による耐火物の損耗防止が可能な真空槽が記載されている。
【０００６】
特許文献３には、真空槽への着脱が迅速かつ確実で、同一ノズルおよびロッドを繰り返し使用可能とした真空脱ガス槽の地金溶解装置が記載されている。
【０００７】
特許文献４には、真空排気ダクト内に巻き込まれる粉塵による閉塞を防止して、真空槽内の到達真空度を所定のレベルに維持するとともに、粉塵の除去作業が容易な真空精錬装置が記載されている。
【０００８】
特許文献５には、脱ガス設備の排気装置を小型化し、排気ダクト内に堆積したダストを効率的に除去する構造が記載されている。
【０００９】
特許文献６には、真空脱ガス処理を終了した真空脱ガス槽内を大気圧に戻す際、脱ガス装置の排気口とガスクーラ間の排気ダクトに設けたノズルより不活性ガスを槽内に吹き込み、復圧と同時に、ダクト内に付着したダスト等を槽内に排出することが記載されている。
【００１０】
また、真空槽と排気装置の間にダストセパレータを配置する場合は、ダストセパレータと真空槽を結ぶ排ガス煙道にダストや地金が付着するため、ドラッガー方式と呼ばれる専用装置を用いて除去する方法や人力で除去することが行われてきた。
【００１１】
図４は、排ガス煙道６内に付着した、ダストや地金をドラッガー方式に用いる専用装置で除去する場合を説明する図で、ダストセパレータ４近傍のデッキ８上に専用装置１０の移動用のレール９を敷設する。
【００１２】
専用装置１０は、ブームの先端に掘削機１１を有し、除去作業の際は、ダストセパレータ４と排ガス装置を連結する主排気ダクト４１の一部を開放し、専用装置１０を、そのブームの先端に取り付けた掘削機１１が排ガス煙道６に達するようにレール９上を移動させる。
【特許文献１】特開２００５−１４６３５６号公報
【特許文献２】特開２００４−６８０６０号公報
【特許文献３】特開２００１−１９２７２５号公報
【特許文献４】特開平１０−１５２７２１号公報
【特許文献５】特開平１０−１７１５号公報
【特許文献６】特開平０６−２２０５２２号公報
【発明の開示】
【発明が解決しようとする課題】
【００１３】
しかしながら、ドラッガー方式の専用装置は高価で、且つ広い設置スペースを必要とし、一方、作業員による排ガス煙道内に付着したダストや地金の除去作業は重労働で作業能率が低く、長時間作業となる。
【課題を解決するための手段】
【００１４】
本発明の課題は以下の手段で達成可能である。
１．真空脱ガス装置の煙道ダクト内付着物の除去方法であって、ダストセパレータのマンホール周辺にデッキを設け、フォークにダスト除去用専用冶具を取り付けたフォークリフトを前記デッキ上で走行させ、前記マンホールから前記ダスト除去用専用冶具を、前記ダストセパレータと真空脱ガス装置の真空槽を連結する煙道ダクト内に挿入し、前記煙道ダクトに付着したダストや地金などを除去することを特徴とする真空脱ガス装置の煙道ダクト内付着物の除去方法。
２．真空脱ガス装置の煙道ダクト内付着物の除去装置であって、ダストセパレータのマンホール周辺に設けたデッキと、前記デッキ上に載置したフォークリフトを備え、前記フォークリフトはフォークにダスト除去用専用冶具を有し、前記デッキは前記フォークリフトを操作した際、前記フォークリフトのフォークに取り付けたダスト除去用専用冶具を、前記マンホールから、前記ダストセパレータと真空脱ガス装置の真空槽を連結する煙道ダクト内に挿入し、前記煙道ダクトに付着したダストや地金などが除去可能な広さと高さを有していることを特徴とする真空脱ガス装置の煙道ダクト内付着物の除去装置。
【発明の効果】
【００１５】
本発明によれば、短時間で排ガス煙道に付着したダストや地金が除去でき、産業上極めて有用である。
【発明を実施するための最良の形態】
【００１６】
本発明はドラッガー方式などの専用装置でなく汎用的なフォークリフトを用いて真空脱ガス装置の煙道ダクト内付着物の除去を行うことを特徴とする。
【００１７】
図１は、本発明の一実施例に係る、真空脱ガス装置の煙道ダクト内付着物の除去方法を模式的に説明する側面図、図２は平面図を示し、これらの図において、１はフォークリフト、２はフォーク、３はダスト除去用専用冶具、４がダストセパレータ、５は真空脱ガス装置の真空槽、６は煙道ダクト、７はストッパー、８はデッキ、４１はマンホール、４２はマンホール蓋を示す。尚、マンホール４１の径は、煙道ダクト内のダスト付着しやすい煙道ダクト底面、側面に届けば良いが、煙道ダクト６の径より大きいものが好ましい。
【００１８】
本発明に係る煙道ダクト内付着物の除去方法では、ダストセパレータ４の管胴に開口するマンホール４１周辺の所定の水平領域を覆うようにデッキ８を設け、その上でフオークリフト１を走行させる。
【００１９】
フオークリフト１のフォーク２にはダスト除去用専用冶具３を取り付け、デッキ８上でフォークリフト１の位置を変えたり、フォーク２を上下させてダスト除去用専用冶具３でダストや地金などの煙道ダクト内付着物の除去を行う（矢印ａ，ｂ）。
【００２０】
図３にダスト除去用専用冶具３の一例を示す。（ａ）は平面図を、（ｂ）は平面図におけるＡ−Ａ´断面図で正面図を示す。先端を鋭角に加工したレール３１，３２を平行にフォーク２に取り付ける。
【００２１】
フォークリフト１は、フォーク２の昇降機構のため、マンホール４１の外側に取り付けたマンホール蓋４２の外側までしか接近できない。
【００２２】
従って、フォーク２を含めたレール３１，３２の先端までの長さｌはそのような場合であっても、煙道ダクト６を貫通してダストや地金などの付着物を除去するのに十分な長さとする。
【００２３】
単槽式と２槽式の真空脱ガス装置では煙道ダクトの長さが違うため、長さｌはそれぞれに適切な長さとする。
【００２４】
そのため、デッキ８は、ダスト除去用専用冶具３の先端が、煙道ダクト６の内部で自由にその位置を変えられるように、フォークリフト１が動き回るのに十分な大きさと形状を有するものとする。デッキ８の周辺部にはフオークリフト１が転落しないように手摺（図示しない）やストッパー７を設置する。また、フォークリフト１の運転者用の昇降階段８１を設ける。
【００２５】
デッキ８は、その水平面を、ダスト除去用専用冶具３を取り付けたフォーク２がマンホール４１内でその開口部の上下限まで自由に動ける高さとなるようにマンホール４１に対して設定する。
【００２６】
デッキ８の水平面の高さがマンホール４１に対して低い場合は、フォーク２をフォークリフト１の性能上の上限まで上昇させても、マンホール４１の上端に達せず、煙道ダクト内付着物の除去が十分できない。
【００２７】
本発明で用いるフオークリフト１は既存のものでよく特に改造を要しない。ダクト付着物除去作業がない場合は他の作業に転用できるので、経済性が高く、容易に実施可能である。
【００２８】
ダクト付着物除去作業が終了した後は、デッキ８からフォークリフト１を降ろして、デッキ８を他の作業に利用でき、スペース効率が高い。
【００２９】
また、本発明は、ダストセパレータ４のマンホール４１周辺の水平面の所定の領域を覆うデッキ８と、その上に載せて自由に移動するフォークリフト１を備える真空脱ガス装置の煙道ダクト６内付着物の除去装置である。
【００３０】
上記装置において、フォークリフト１はフォーク２にダスト除去用専用冶具３を有し、前記デッキ８はフォークリフト１のフォーク２に取り付けたダスト除去用専用冶具３を、マンホール４１から、ダストセパレータ４と真空脱ガス装置の真空槽を連結する煙道ダクト６内に挿入し、前記煙道ダクト６に付着したダストや地金などが除去可能な広さと高さを有している。
【図面の簡単な説明】
【００３１】
【図１】本発明例。
【図２】図１に示した本発明例の平面図。
【図３】本発明例。
【図４】従来例。
【符号の説明】
【００３２】
１    フォークリフト
２    フォーク
３    ダスト除去用専用冶具
３１、３２    レール
４    ダストセパレータ
５    脱ガス管
６    煙道ダクト
７    ストッパー
８    デッキ
４１    マンホール
４２    マンホール蓋
【図１】
0005256699.tif 000002
【図２】
0005256699.tif 000003
【図３】
0005256699.tif 000004
【図４】
0005256699.tif 000005